(57)【要約】【課題】ワイヤハーネス端末に接続するアースジョイントコネクタの構成を簡単にし、かつ、回路接続に多様性を持たせる。【解決手段】ジョイントコネクタ１０は、複数本の電線５０の端末にそれぞれ接続した端子５１を挿入する複数のキャビティ１４を貫通して有するハウジング本体１２と、キャビティ１４の端子挿入側とは反対側のハウジング本体１２の裏面１２ｂに取り付ける裏蓋１３と、裏蓋１３に固定され、各キャビティ１４内に突出する複数の端子部２３を裏蓋１３の内面より突出させたジョイントバスバー２１を備え、ジョイントバスバー２１の一端より突設したアース線接続用端子部２４に、アース端子４１を一端に接続したアース線４０の他端の端子４２を嵌合接続している。【選択図】図１
2009266603.tif 000002
【特許請求の範囲】
【請求項１】
ワイヤハーネスを構成する電線群から分岐する複数本の電線端末にそれぞれ接続した端子を挿入する複数のキャビティを貫通して有するハウジング本体と、
前記キャビティの端子挿入側とは反対側のハウジング本体の裏面に取り付ける裏蓋と、
前記各キャビティ内に突出する複数の端子部を基板部より突設し、前記裏蓋の成形時にインサート成形して前記端子部を裏蓋内面より突出させ、または、該裏蓋の内面に設けた嵌合溝に前記基板部を挿入係止して端子部を突出させたジョイントバスバーを備え、
前記ジョイントバスバーの基板部の一端よりアース線接続用端子部を突設すると共に、該アース線接続用端子部に面する位置の前記ハウジング本体または前記ハウジング本体と裏蓋との間にアース線接続口を設け、
前記アース線接続口に、アース端子を一端に接続したアース線の他端の端子を挿入して前記アース線接続用端子部と嵌合接続していることを特徴とするアースジョイントコネクタ。
【請求項２】
前記ハウジング本体に、同一列に複数の前記キャビティを並設し、または該複数のキャビティを並設した列を複数段設け、
前記ジョイントバスバーは前記全てのキャビティ内に突出する前記端子部を備えた１つのジョイントバスバー、または、複数のキャビティ内に突出する前記端子部を備えた複数のジョイントバスバーからなる請求項１に記載のアースジョイントコネクタ。
【請求項３】
前記複数のジョイントバスバーのうち１つのジョイントバスバーは前記アース線接続用端子部を備えたアースジョイントバスバーとし、他のジョイントバスバーはアース回路またはスプライス回路接続用ジョイントバスバーとしている請求項１または請求項２に記載のアースジョイントコネクタ。
【請求項４】
前記裏蓋はハウジング本体の裏面に着脱自在に取り付け、該裏蓋に固定する前記ジョイントバスバーを回路構成に応じて変更可能としている請求項１乃至請求項３のいずれか１項に記載のアースジョイントコネクタ。
【発明の詳細な説明】
【技術分野】
【０００１】
本発明は、アースジョイントコネクタに関し、詳しくは、自動車に配索されるワイヤハーネスの端末に接続するアースジョイントコネクタに関するものである。
【背景技術】
【０００２】
ワイヤハーネス用のアースジョイントコネクタは従来より多数提案されている。
例えば、特開平６−８４５６５号公報で提案された図１０に示すアースジョイントコネクタ１は、ハーネスから分岐した複数のアース線ｗの端末に接続した相手方ハーネスコネクタ７と雌雄嵌合接続することにより、該複数のアース線ｗを一括してアース接続している。
【０００３】
即ち、アースジョイントコネクタ１のコネクタハウジング２は、相手方ハーネスコネクタ７を嵌合する嵌合凹部３を設けた雌型コネクタハウジングであり、該雌型コネクタハウジング２内にはジョイント端子４を収容固定し、該ジョイント端子４の一端側から突設した複数の雄タブ５を前記嵌合凹部３内に突出させて、該雄タブ５を、相手方ハーネスコネクタ７の雄型コネクタハウジング８内に収容された雌端子９と嵌合接続する構成としている。また、前記ジョイント端子４の他端側には、車体等の所要アース部に固定されるアース端子６を連成し、該アース端子６を雌型コネクタハウジング２の外部へと導出している。
【０００４】
しかしながら、上述のような構造では、複数のアース線ｗの一括アース接続に際し、ハウジングを異にする互いに別体のアースジョイントコネクタ１とハーネスコネクタ７の２部品が必要であるため、部品点数が多くなり、コスト高となるうえ、重量および設置スペースが大きくなる点に問題がある。
【０００５】
また、前記アースジョイントコネクタ１は、前記ジョイント端子４に連成したアース端子６をハウジング２外に突出させているため、アースジョイント専用のコネクタとなり、回路接続用コネクタとしての使用に適さず、汎用性に欠ける。
さらに、前記アースジョイントコネクタ１は、ハウジング２からジョイント端子４を分離できないため、回路構成に変更が生じた場合でもジョイント端子４のみの交換で対応できず、コネクタ１全体の変更、交換が必要となり、この点からもコスト高となる問題がある。
【０００６】
【特許文献１】特開平６−８４５６５号公報
【発明の開示】
【発明が解決しようとする課題】
【０００７】
本発明は前記問題に鑑みてなされたものであり、複数電線のジョイント接続に要する部品点数を削減できると共に、小型化および軽量化が可能となり、かつ、汎用性および回路変更への対応性を高め、コスト低減を図ることができるアースジョイントコネクタの提供を課題としている。
【課題を解決するための手段】
【０００８】
前記課題を解決するために、本発明は、ワイヤハーネスを構成する電線群から分岐する複数本の電線端末にそれぞれ接続した端子を挿入する複数のキャビティを貫通して有するハウジング本体と、
前記キャビティの端子挿入側とは反対側のハウジング本体の裏面に取り付ける裏蓋と、
前記各キャビティ内に突出する複数の端子部を基板部より突設し、前記裏蓋の成形時にインサート成形して前記端子部を裏蓋内面より突出させ、または、該裏蓋の内面に設けた嵌合溝に前記基板部を挿入係止して端子部を突出させたジョイントバスバーを備え、
前記ジョイントバスバーの基板部の一端よりアース線接続用端子部を突設すると共に、該アース線接続用端子部に面する位置の前記ハウジング本体または前記ハウジング本体と裏蓋との間にアース線接続口を設け、
前記アース線接続口に、アース端子を一端に接続したアース線の他端の端子を挿入して前記アース線接続用端子部と嵌合接続していることを特徴とするアースジョイントコネクタを提供している。
【０００９】
前記構成のアースジョイントコネクタは、一つのハウジング内に、電線端末に接続した端子を挿入する複数のキャビティを設けることによって、従来のハーネスコネクタとしての機能を備えると共に、複数の端子部を突設したジョイントバスバーも備えることにより、従来のジョイントコネクタとしての機能をも具備することができる。従って、複数の電線端末に接続した端子を前記キャビティ内に挿入して前記端子部と嵌合接続することにより、一つのハウジング内でジョイント接続が完了する。よって、従来のようにハウジングを異にする雄コネクタと雌コネクタは必要なく、部品点数を削減してコスト低減を図ることができると共に、軽量化および小型化も可能となる。
【００１０】
また、本発明のアースジョイントコネクタは、前記ジョイントバスバーの前記アース線接続用端子部に、前記アース線接続口から挿入したアース線の端子を接続した場合はアースジョイントコネクタとして機能する。また、アース線接続用端子部にアース線を接続せずに、接続した電線の他端側でアース接続する場合には、アース回路接続用のアースジョイントコネクタとして使用することもできる。従って、アース線接続の有無によってアースジョイントコネクタとして、あるいは、アース回路接続用のジョイントコネクタとして選択的に容易に使い分けることができる。よって、アースジョイントコネクタの汎用性を高めることができ、この点からもコスト低減を図ることができる。
【００１１】
前記ハウジング本体には、同一列に複数の前記キャビティを並設し、または該複数のキャビティを並設した列を複数段設け、
前記ジョイントバスバーは前記全てのキャビティ内に突出する前記端子部を備えた１つのジョイントバスバー、または、複数のキャビティ内に突出する前記端子部を備えた複数のジョイントバスバーからなる。
複数のジョイントバスバーを備える場合、一つのハウジング内に電気回路的に互いに独立した複数の回路を形成することができるため、多様な回路構成に対応することが可能となる。
【００１２】
前記複数のジョイントバスバーのうち１つのジョイントバスバーは前記アース線接続用端子部を備えたアースジョイントバスバーとし、他のジョイントバスバーは回路接続用ジョイントバスバーとし、アース用ジョイント部とアース回路またはスプライス回路接続用ジョイント部とを設けてもよい。
【００１３】
前記裏蓋はハウジング本体の裏面に着脱自在に取り付け、該裏蓋に固定する前記ジョイントバスバーを回路構成に応じて変更可能としていることが好ましい。
これにより、回路構成の変更に対してはジョイントバスバーと一体化した裏蓋の交換、あるいは、ジョイントバスバーのみの交換で対応することができ、ハウジング本体を含めたコネクタ全体の変更や交換は不要となるため、回路構成の変更に対して柔軟に対応できると共に、変更に伴うコストを抑えることができる。
【発明の効果】
【００１４】
上述したように、本発明によれば、ハウジング本体に、ジョイントバスバーを固定した裏蓋を取り付けて、該ジョイントバスバーから突設した端子部を各キャビティ内に突出させると共に、該ハウジング本体に設けたキャビティ内に電線端末に接続した端子を挿入して前記ジョイントバスバーの端子部と嵌合接続することにより、複数の電線をジョイントバスバーを介してジョイント接続することができる。
従って、従来のようにハウジングを異にする別体のジョイントコネクタとハーネスコネクタを雌雄嵌合させてジョイント接続するのではなく、一つのハウジング内でジョイント接続が完了する。よって、部品点数を削減でき、コスト低減を図ることができるともに、小型化による設置スペースの縮小および軽量化も可能となる。
【００１５】
また、アース端子を接続したアース線の他端側端子を、前記ジョイントバスバーより突設したアース線接続用端子部に接続するか否かのみによって、アース線と接続したアースジョイントコネクタとしての使用と、アース回路接続用ジョイントコネクタとしての使用を選択的に使い分けることができる。よって、一種類のジョイントコネクタの利用範囲を広げることができる。
【００１６】
さらに、ジョイントバスバーを固定した裏蓋をハウジング本体に着脱自在に取り付けることにより、回路構成の変更に対してコネクタ全体の変更・交換は必要なく、ジョイントバスバーと一体化した裏蓋の交換、あるいはジョイントバスバーのみの交換で容易に対応できるため、この点からもコスト低減を図ることができる。
【発明を実施するための最良の形態】
【００１７】
以下、本発明の実施形態を図面を参照して説明する。
図１乃至図４に、本発明の第１実施形態に係るアースジョイントコネクタ１０（以下、ジョイントコネクタ１０と略す）を示す。
ジョイントコネクタ１０は自動車のワイヤハーネスを構成する電線群から分岐する複数本のハーネス側アース線５０を一括して車体にアース接続するアース用のジョイントコネクタである。
【００１８】
ジョイントコネクタ１０のハウジング１１は、図１に示すように、共に絶縁樹脂製のハウジング本体１２と裏蓋１３とからなる。
【００１９】
前記ハウジング本体１２は、図１および図４に示すように、６本のハーネス側アース線５０の雌端子５１が挿入される６個のキャビティ１４を貫通して備え、これらキャビティ１４を雌端子５１の挿入側面１２ａ（図示の例では上面）に開口させている。前記６個のキャビティ１４は、３個並設した列を二段に設けている。
【００２０】
図４に示すように、前記キャビティ１４の底面は底壁１５で仕切り、該底壁１５には後述するジョイントバスバー２１の雄端子部２３を貫通させる端子貫通穴１６を各キャビティ１４に１つずつ形成している。該底壁１５は、ハウジング本体１２の端子挿入側面１２ａと反対側の裏面１２ｂ（図示の例では下面）より上方位置に形成し、裏蓋１３をハウジング本体１２に取り付けた時に裏蓋１３と底壁１５との間に空間１７を形成できる構成としている。
【００２１】
前記ハウジング本体１２の一側面には、図１に示すように、アース線挿入用の凹部１８を下端面から切り欠いて形成している。
また、ハウジング本体１２の前記アース線挿入凹部１８を形成していない一対の相対向する側面の下方位置には、後述する裏蓋１３のロック爪２０ｂを係止する被ロック枠部２０ａを突設している。
【００２２】
前記ハウジング本体１２の裏面１２ｂは、図３および図４に示すように、裏蓋１３によって閉鎖される。該裏蓋１３にはジョイントバスバー２１を固定している。
【００２３】
前記ジョイントバスバー２１は、図２に示すように、平板状の基板部２２の対向する両側縁より、タブ状の雄端子部２３を各側縁に３個ずつ同一方向に立設している。該雄端子部２３を立設していない一側縁よりアース線接続用端子部２４を突設している。該アース線接続用端子部２４は、基板部２２の一側縁より屈曲して前記雄端子部２３と同一方向に立ち上げた後、外方に屈曲させて基板部２２と平行に延在させた断面倒Ｌ形状よりなる。
【００２４】
前記ジョイントバスバー２１は、裏蓋１３にインサート成形にて固定され、図１に示すように裏蓋１３の内面より前記雄端子部２３とアース線接続用端子部２４を突出させている。
【００２５】
前記裏蓋１３の一対の対向する側面には、ハウジング本体１２の前記被ロック枠部２０ａに挿入係止するロック爪２０ｂを上方に突設している。
また、裏蓋１３の外面側（下面側）には、図３に示すように、クランプ部２５を下方に突設している。
【００２６】
図４に、前記構成のジョイントコネクタ１０を用いたアース接続の手順を示す。
まず、ハウジング本体１２の裏面１２ｂに裏蓋１３を取り付け、該裏蓋１３の内面より突設した前記６つの雄端子部２３を前記６つのキャビティ１４の底壁１５に設けた端子貫通穴１６に差し込み、各キャビティ１４内に１つずつ突出させる。また、同じく裏蓋１３の内面より突設した前記アース線接続端子部２４は、ハウジング本体１２の底壁１５と裏蓋１３との間の前記空間１７内に位置させ、その先端２４ａを前記アース線挿入凹部１８と裏蓋１３とで囲まれて形成されたアース線接続口１９に面させる。
裏蓋１３とハウジング本体１２とは、図３に示すように、裏蓋１３のロック爪２０ｂをハウジング本体１２の被ロック枠部２０ａに挿入係止してロック結合させる。
【００２７】
次に、前記ジョイントバスバー２１のアース線接続用端子部２４に、車体側アース線４０を接続する。詳しくは、車体側アース線４０は、図１および図３に示すように、一端にアース端子４１を接続すると共に、他端に雌端子４２を接続しており、該雌端子４２を前記アース線接続口１９からハウジング１１内に挿入してアース線接続用端子部２４と嵌合接続する。
【００２８】
次に、各ハーネス側アース線５０の端末に接続した雌端子５１をハウジング本体１２のキャビティ１４に差し込み、図４に示すように、該雌端子５１とキャビティ１４内の雄端子部２３とを嵌合して、６本のハーネス側アース線５０とジョイントバスバー２１とを導通させる。
【００２９】
前記のようにワイヤハーネスに組みつけたジョイントコネクタ１０は、自動車に搭載時に、ハウジング本体１２に組み付けた裏蓋１３のクランプ２５を、車体パネル（図示せず）の取付穴に挿入係止し、ジョイントコネクタ１０を車体に固定している。また、前記車体側アース線４０のアース端子４１を車体のアースポイントにボルト４５で締め付け固定している。
これにより、ジョイントコネクタ１０のハウジング１１内でジョイントバスバー２１を介して互いに接続された６本のハーネス側アース線５０を一括して車体にアース接続することができる。
【００３０】
このように、前記ジョイントコネクタ１０を用いると、一つのハウジング１１内で各アース線５０のジョイント接続が完了するため、ハウジングを異にするアースジョイントコネクタとハーネスコネクタを雌雄嵌合接続していた従来に比して、部品数を削減でき、コスト低減を図ることができる。また、軽量化および小型化も可能となり、ジョイントコネクタの設置スペースを小さくすることができる。
【００３１】
なお、本発明のジョイントコネクタ１０は、図５に示すように、ジョイントバスバー２１のアース線接続用端子部２４にアース線４０を接続を外すことにより、ジョイントコネクタ１０をアース回路接続用のジョイントコネクタとして使用できる。あるいは、スプライス形成用のジョイントコネクタとしても使用できる。
即ち、１つのジョイントコネクタ１０を用途に応じてアースジョイントコネクタ、アース回路接続用のジョイントコネクタ、スプライス用のジョイントコネクタとして、選択的に使用することができ、汎用性が向上し、コスト低減を図ることができる。
【００３２】
さらにまた、回路変更が生じた場合は、裏蓋１３とジョイントバスバー２１のみを取り換えればよく、ハウジング本体１２を含めたコネクタ１０全体を交換・変更する必要はないため、回路変更に容易に対応できると共に、コストも抑えることができる。
【００３３】
図６乃至図８に、本発明の第２実施形態に係るジョイントコネクタ１０−１を示す。
ジョイントコネクタ１０−１は、ワイヤハーネスを構成する電線群から分岐する複数の電線５２ａ〜５２ｆをジョイント接続するものである。６つのキャビティ１４ａ〜１４ｆには前記電線５２ａ〜５２ｆの端末に接続した雌端子５３ａ〜５３ｆを挿入している。
【００３４】
本実施形態においては、ハウジング本体１２の裏面１２ｂに取り付けられる裏蓋１３の内面側に、アースジョイントバスバー３１と回路接続用ジョイントバスバー３２とを互いに離隔させて固定している。
【００３５】
図６に示すように、前記アースジョイントバスバー３１は、平板状の基板部３３の一側縁より３つのタブ状の雄端子部３５を並列に立設している。該雄端子部３５を立設していない一側縁よりアース線接続用端子部３７を突設している。前記雄端子部３５の並列位置および並列方向は、前記キャビティ１４ａ〜１４ｃの並列位置および並列方向に対応させている。
前記アース接続用端子部３７は、その形状を前記第一実施形態のアース接続用端子部２４と同様に断面倒Ｌ形状としているが、前記第一実施形態と異なり、車体側アース線を接続していない。
【００３６】
他方の回路接続用ジョイントバスバー３２は、平板状の基板部３４の一側縁より３つのタブ状の雄端子部３６を並列に立設しているが、アース線接続用端子部は設けていない。雄端子部３６の並列位置および並列方向は、前記キャビティ１４ｄ〜１４ｆの並列位置および並列方向に対応させている。
【００３７】
前記アースジョイントバスバー３１と回路接続用ジョイントバスバー３２は、図６および図７に示すように、裏蓋１３の内面側に形成した嵌合溝２６、２７にそれぞれの基板部３３、３４を挿入係止して着脱自在に固定され、前記雄端子部３５、３６とアース接続用端子部３７を裏蓋１３の内面より突出させている。
【００３８】
アースジョイントバスバー３１の雄端子部３５は、裏蓋１３をハウジング本体１２に取り付けたときに、キャビティ１４ａ〜１４ｃ内に突出して、電線５２ａ〜５２ｃの雌端子５３ａ〜５３ｃと嵌合接続し、回路接続用ジョイントバスバー３６は、キャビティ１４ｄ〜１４ｆ内に突出して電線５２ｄ〜５２ｆの雌端子５３ｄ〜５３ｆと嵌合接続する。
【００３９】
ハウジング本体１２の側壁には、前記アースジョイントバスバー３１のアース線接続用端子部３７の突出方向と面する位置にアース線挿入凹部１８を下端から切り欠いて形成している。これにより、ハウジング本体１２に裏蓋１３を取り付けたときに、図８に示すように、該アース線挿入凹部１８と裏蓋１３とで囲まれた位置にアース線接続口１９を形成する構成としている。
【００４０】
前記ジョイントコネクタ１０−１は、図８に示すように、アースジョイントバスバー３１のアース線接続用端子部３７にアース線を接続しないことにより、該アースジョイントバスバー３１を回路接続用ジョイントバスバーとして使用している。一つのハウジング１１内で、３本の電線５２ａ、５２ｂ、５２ｃを該アースジョイントバスバー３１を介してジョイント接続すると共に、他の３本の電線５２ｄ、５２ｅ、５２ｆを回路接続用ジョイントバスバー３２を介してジョイント接続することができ、電気接続的に互いに独立する２つのジョイント接続を実行することができる。
【００４１】
また、前記ジョイントコネクタ１０−１は、図９に示すように、前記アースジョイントバスバー３１のアース線接続用端子部３７にアース線４０を接続するという単純作業により、一つのハウジング１１内に、アース用ジョイント部と回路接続用ジョイント部とを設けることができる。
この場合、キャビティ１４ａ〜１４ｃにハーネス側アース線５０ａ〜５０ｃの雌端子５１ａ〜５１ｃを挿入し、キャビティ１４ｄ〜１４ｆに通常電線５２ａ〜５２ｃの雌端子５３ａ〜５３ｃを挿入している。前記アース線５０ａ〜５０ｃをアースジョイントバスバー３１を介してジョイント接続して車体に一括アース接続することができると共に、電線５２ａ〜５２ｃを回路接続用ジョイントバスバー３２を介してジョイント接続することができる。
【００４２】
このように前記ジョイントコネクタ１０−１は、互いに独立する複数の回路を形成できることから多様な回路構成に対応できるうえ、アースジョイントコネクタとしての用途もしくは回路接続用ジョイントコネクタとしての用途を部分的に選択することが可能となるため、利用範囲をさらに拡大することができる。
また、ジョイントバスバー３１、３２は裏蓋１３に着脱自在に固定されるため、回路変更に際してはジョイントバスバー３１、３２の交換のみで対応でき、一層のコスト低減をはかることができる。
【００４３】
なお、本発明は前記実施形態に限定されるものではない。一部のキャビティ１４には端子を挿入しない場合もある。また、アース線接続口１９は、ハウジング本体１２の側壁を貫通して形成してもよい。
【図面の簡単な説明】
【００４４】
【図１】本発明の第一実施形態に係るジョイントコネクタの分解斜視図である。
【図２】ジョイントバスバーの斜視図である。
【図３】ハウジング本体に裏蓋を取り付けた状態を示す外観斜視図である。
【図４】ハウジング内の構造を示す正面視断面説明図である。
【図５】第一実施形態に係るジョイントコネクタの他の使用例を示す斜視図である。
【図６】本発明の第二実施形態に係るジョイントコネクタの分解斜視図である。
【図７】図６に示す裏蓋にジョイントバスバーを固定した状態を示す斜視図である。
【図８】図６に示すジョイントコネクタのハウジング本体に裏蓋を取り付けた状態を示す外観斜視図である。
【図９】第二実施形態に係るジョイントコネクタの他の使用例を示す斜視図である。
【図１０】従来例を示す図である。
【符号の説明】
【００４５】
１０、１０−１  ジョイントコネクタ
１２  ハウジング本体
１３  裏蓋
１４、１４ａ〜１４ｆ  キャビティ
１９  アース線接続口
２１、３１、３２  ジョイントバスバー
２２、３３、３４  基板部
２３  、３５、３６（雄）端子部
２４、３７  アース線接続用端子部
４０  車体側アース線
４１  アース端子
４２  雌端子
５０、  ５０ａ〜５０ｃ  ハーネス側アース線（電線）
５１、５３  （雌）端子
５２  、５２ａ〜５２ｆ  電線
【図１】
2009266603.tif 000003
【図２】
2009266603.tif 000004
【図３】
2009266603.tif 000005
【図４】
2009266603.tif 000006
【図５】
2009266603.tif 000007
【図６】
2009266603.tif 000008
【図７】
2009266603.tif 000009
【図８】
2009266603.tif 000010
【図９】
2009266603.tif 000011
【図１０】
2009266603.tif 000012